(57)【要約】【課題】  ピアノの鍵盤の良好な動作特性を維持する。【解決手段】  鍵盤において、鍵盤バランスブッシングクロス５と、鍵盤フロントブッシングクロス８と、バランスパンチングクロス１２とは、表面仕上げがスエード調の人工皮革で形成されている。これにより、そのクロス５，８，１２の耐湿性を向上させることができる。このため、筬９、バランスピン１０及びフロントピン１１の各々と、鍵１との間の摩擦やクリアランスが湿度に応じて変化してしまうことを抑制することができ、鍵盤の良好な動作特性を維持することができる。更に、表面が起毛状であり柔らかいため、鍵の動作時に生じる雑音の防止効果を一層高めることができる。【選択図】  図１
2005055651.tif 000002
【特許請求の範囲】
【請求項１】
ピアノの鍵盤であって、
各鍵にて、他の部材との間に設けられるクロスの少なくとも１つが人工皮革であること、
を特徴とするピアノの鍵盤。
【請求項２】
請求項１に記載のピアノの鍵盤において、
前記人工皮革からなるクロスは、バランスピンとの間に設けられるブッシングクロスと、フロントピンとの間に設けられるブッシングクロスと、筬との間に設けられるバランスパンチングクロスとのうち、少なくとも１つであること、
を特徴とするピアノの鍵盤。
【請求項３】
請求項１又は請求項２に記載のピアノの鍵盤において、
前記人工皮革は、表面仕上げがスエード調の人工皮革であること、
を特徴とするピアノの鍵盤。
【発明の詳細な説明】
【技術分野】
【０００１】
本発明は、ピアノの鍵盤に関する。
【背景技術】
【０００２】
従来より、ピアノの鍵盤の各鍵には、鍵の揺動を滑らかにしたり、雑音を防止したり、鍵の位置調整をしたりするために、クロスと呼ばれる布状部材が設けられている。
尚、そのようなクロスとしては、例えば、バランスピンとの間に設けられるブッシングクロスや、フロントピンとの間に設けられるブッシングクロスや、筬にてバランスピンの根本部分に設けられるバランスパンチングクロスがある。また、バランスピンとの間に設けられるブッシングクロスは、鍵盤バランスブッシングクロスとも呼ばれ、フロントピンとの間に設けられるブッシングクロスは、鍵盤フロントブッシングクロスとも呼ばれている。
【０００３】
そして、こうしたクロスは羊毛で作られていた（例えば、特許文献１参照）。
【特許文献１】特開平０９−２５８７２０号公報
【発明の開示】
【発明が解決しようとする課題】
【０００４】
ところで、羊毛は吸湿性が高いので、大気が湿っていれば膨張し、乾いていれば収縮する傾向がある。
このため、従来の鍵盤では、湿度に応じてクロスが膨張／収縮してしまうことにより、押鍵時の感覚及び押鍵後の反応速度が変わってしまったり、鍵の位置ずれが発生したりして、演奏者に違和感を与えてしまう虞があった。つまり、湿度により鍵の動作特性が変化し易いという欠点があった。
【０００５】
本発明は、上記問題を解決するためになされたものであり、ピアノの鍵盤の良好な動作特性を維持することを目的とする。
【課題を解決するための手段】
【０００６】
上記目的を達成するためになされた請求項１に記載のピアノの鍵盤では、各鍵にて、他の部材との間に設けられるクロスの少なくとも１つが人工皮革によって形成されている。
このような請求項１のピアノの鍵盤によれば、人工皮革のクロスを設けることで従来よりも、そのクロスの耐湿性を向上させることができる。このため、鍵と他の部材との間の摩擦やクリアランスが湿度に応じて変化してしまうことを抑制することができ、鍵盤の良好な動作特性を維持することができる。
【０００７】
ところで、人工皮革とするクロスとしては、具体的には、請求項２に記載の如く、バランスピンとの間に設けられるブッシングクロスと、フロントピンとの間に設けられるブッシングクロスと、筬との間に設けられるバランスパンチングクロスとのうち、少なくとも１つが考えられる。
【０００８】
特に、バランスピンとの間に設けられるブッシングクロスと、フロントピンとの間に設けられるブッシングクロスとの、少なくとも一方を人工皮革によって形成すれば、鍵とバランスピン又はフロントピンとの間の摩擦やクリアランスが湿度に応じて変化してしまうことを抑制することができる。また、上記バランスパンチングクロスを人工皮革によって形成すれば、鍵と筬とのクリアランスが湿度に応じて変化しまうことを抑制することができる。
【０００９】
一方、人工皮革としては、請求項３に記載の如く、表面仕上げがスエード調の人工皮革を用いることが好ましい。そのような人工皮革を用いれば、表面が起毛状であり柔らかいため、鍵の動作時に生じる雑音の防止効果を一層高めることができる。
【発明を実施するための最良の形態】
【００１０】
以下、本発明が適用された実施形態のグランドピアノの鍵盤について、図面を用いて説明する。
図１は、本実施形態のピアノの鍵盤のうち、１つの鍵１をそれに対応するアクション機構ａと共に表す構成図である。そして、図２（ａ）は、図１のＡ−Ａ’における鍵１の断面図である。また、図２（ｂ）は、図１のＢ−Ｂ’における鍵１の断面図である。尚、以降この鍵１の説明において、演奏者が演奏する側（図１で右側）を前側とし、演奏者が演奏する側の反対側（図１で左側）を後側とする。また、上下方向に関する表現は、図１における方向である。
【００１１】
この鍵１は、鍵本体２と、鍵本体２の中央部の上面に接着された中座板３と、図２（ａ）に示すように、鍵本体２と中座板３とを上下に貫通した孔４に接着された、一対の鍵盤バランスブッシングクロス５と、鍵本体２の演奏者が演奏する側の上面に接着された鍵盤表皮６と、図２（ｂ）に示すように、鍵本体２の前側の下面にある孔７に接着された、一対の鍵盤フロントブッシングクロス８等とから構成されており、筬９上に設置されている。
【００１２】
また、筬９において、その中央部には、円柱状のバランスピン１０が立設されており、演奏者が演奏する側には、円柱状のフロントピン１１が立設されている。更に、筬９には、図２（ａ）に示すように、バランスピン１０の根元部分にドーナツ状のバランスパンチングクロス１２が取り付けられている。また、図２（ｂ）に示すように、筬９には、フロントピン１１の根元部分にフロントパンチングクロス１３が取り付けられている。
【００１３】
ここで、鍵盤バランスブッシングクロス５と、鍵盤フロントブッシングクロス８と、バランスパンチングクロス１２とは、表面仕上げがスエード調の人工皮革によって形成されている。
【００１４】
以上のような構成の鍵１は、孔４にバランスピン１０を、孔７にフロントピン１１を、それぞれ挿入することによって、筬９に取り付けられる。これにより、鍵１は、バランスピン１０を中心に揺動することが可能となると共に、フロントピン１１により鍵の並び方向の揺れが防止される。また、鍵１の上側には、アクション機構ａが取り付けられる。尚、アクション機構ａの構成は、公知のものなので、詳細な説明は省略する。
【００１５】
そして、鍵盤バランスブッシングクロス５及び鍵盤フロントブッシングクロス８は、バランスピン１０及びフロントピン１１の各々に軽く接触している。また、バランスパンチングクロス１２は、主に鍵盤の高さ調整の役割を果たしており、鍵１と接触している。また、フロントパンチングクロス１３は鍵盤のアガキを揃えている。
【００１６】
以上のような鍵１及びアクション機構ａを各弦毎に備えたピアノは、離鍵状態から演奏者が鍵１を押すと、バランスピン１０を中心に鍵１が上下に揺動する。この揺動運動に伴い、アクション機構ａが作動し、打弦を行う。
【００１７】
このとき、鍵盤バランスブッシングクロス５及び鍵盤フロントブッシングクロス８は、バランスピン１０及びフロントピン１１との摩擦によって、揺動の際の雑音を防止したり、その揺動を滑らかにしている。また、バランスパンチングクロス１２は、鍵１との摩擦によって、雑音を防止したり、揺動を滑らかにしている。
【００１８】
以上のような本実施形態のピアノの鍵１では、特に、鍵盤バランスブッシングクロス５と、鍵盤フロントブッシングクロス８と、バランスパンチングクロス１２とのそれぞれが、人工皮革製のものであることで、従来よりも、そのクロス５，８，１２の耐湿性を向上させることができる。このため、鍵１と、バランスピン１０、フロントピン１１及び筬９の各々との間の摩擦やクリアランスが湿度に応じて変化してしまうことを抑制することができ、鍵盤の良好な動作特性を維持することができる。
【００１９】
また更に、上記クロス５，８，１２は、表面が起毛状であり柔らかいため、鍵１の揺動の際に生じる雑音の防止効果を一層高めることができる。
尚、本実施形態においては、筬９と、バランスピン１０と、フロントピン１１とが、請求項１に記載の他の部材に相当する。
【００２０】
以上、本発明の実施形態について説明したが、本発明は、種々の形態を採り得ることは言うまでもない。
例えば、クロス５，８，１２に限らず、フロントパンチングクロス１３も人工皮革で形成されていても良い。この場合、表面仕上げがスエード調の人工皮革であれば、押鍵の際に、鍵１と筬９とが接触する衝撃をより軽減することができる。
【００２１】
また、本発明は、アップライトピアノの鍵盤にも同様に適用できる。
また更に、アクション機構において、ウイッペンとジャックとが回動可能に接合される部分や、ウイッペンの支柱とレピティションレバーとが回動可能に接合される部分等、アクション機構における２つの部材が回動可能に接合される部分に設けられる布状の部材を、クロス５,８,１２と同様に、人工皮革で形成するようにしても良い。
【図面の簡単な説明】
【００２２】
【図１】本実施形態のピアノの鍵盤における各鍵を表す構成図である。
【図２】本実施形態の各鍵を説明する説明図である。
【符号の説明】
【００２３】
１…鍵、２…鍵本体、５…鍵盤バランスブッシングクロス、８…鍵盤フロントブッシングクロス、９…筬、１０…バランスピン、１１…フロントピン、１２…バランスパンチングクロス、１３…フロントパンチングクロス、ａ…アクション機構
【図１】
2005055651.tif 000003
【図２】
2005055651.tif 000004